(57)【要約】【課題】組み付け工数や部品費用等の削減を図ることが可能な電気的接続構造を提供する。【解決手段】ケーブル側端子部３及びバスバー側端子部４の電気的な接続は、ピン部材６及び皿バネ部材７を備えるとともに、ピン部材６をケーブル側端子部３側から差し込み、バスバー側端子部４側で皿バネ部材７を反転させることにより完了する。スリット１０の形成方向に沿ってケーブル側端子部３をスライドさせるような力が掛かっても、一対のストッパ部１１がピン頭部２２に係合して接続状態が維持される。【選択図】図１
2011249210.tif 000002
【特許請求の範囲】
【請求項１】
導電性の第一電気接触部材及び第二電気接触部材を重ね合わせて電気的に接続する電気的接続構造において、
前記接続にあたり、
前記第一電気接触部材側から差し込まれて前記第二電気接触部材側へと貫通するピン部材と、
前記第二電気接触部材側で前記ピン部材に係合するとともに、該係合により凸方向が第一凸方向から第二凸方向へと反転する皿バネ部材と、
を備える
ことを特徴とする電気的接続構造。
【請求項２】
請求項１に記載の電気的接続構造において、
前記第二電気接触部材にリブを形成するとともに、前記皿バネ部材には前記反転後に前記リブに対し接触するランスを形成する
ことを特徴とする電気的接続構造。
【請求項３】
請求項１又は請求項２に記載の電気的接続構造において、
前記第一電気接触部材に前記ピン部材の貫通ピンに対するスリットを形成するとともに、該スリットの切り欠き開始側には前記貫通ピンに連成されるピン頭部に対し係合可能なストッパ部を形成する
ことを特徴とする電気的接続構造。
【請求項４】
請求項１ないし請求項３いずれか記載の電気的接続構造において、
前記接続を行うベース部材としての絶縁性のハウジングを備え、該ハウジングには前記第一電気接触部材及び前記第二電気接触部材の離間を規制する離間規制部を形成する
ことを特徴とする電気的接続構造。
【発明の詳細な説明】
【技術分野】
【０００１】
本発明は、導電性の第一電気接触部材及び第二電気接触部材を重ね合わせて電気的に接続する電気的接続構造に関する。
【背景技術】
【０００２】
従来の電気的接続構造の一例としては、自動車等の車両に搭載されるヒュージブルリンクユニットに採用される構造が挙げられる。例えば、下記特許文献１に開示されたヒュージブルリンクユニットは、導電性のバスバーを複数有しており、このバスバーにはボルト止め用端子部が設けられている。ボルト止め用端子部には、ケーブルの一端に設けられるＬＡ端子が接続されている。尚、ケーブルの他端は負荷に接続されている。ＬＡ端子は、ボルト止め用端子部の表側に重ね合わせられ、この後にボルト及びナットの締め付けによりボルト止め用端子部に密着し、これにより接続が完了するようになっている。ナットは、予めボルト止め用端子部の裏側に圧入又はインサートにより設けられている。
【先行技術文献】
【特許文献】
【０００３】
【特許文献１】特開２００４−１８６００５号公報
【発明の概要】
【発明が解決しようとする課題】
【０００４】
車両の高性能化が進み、車両に搭載される負荷の数は年々多くなってきている。これに伴い、ヒュージブルリンクユニットも多極化されている。多極化は、圧入又はインサートされるナットの数を多くすることに繋がり、このため組み付け工程の複雑化や組み付け工数の増加を招いてしまうことになる。また、部品費用の増加を招いてしまうことにもなる。この他、ＬＡ端子及びボルト止め用端子部の接続がボルト及びナットの締め付けにより行われることから、ボルトの斜め締めが懸念され、仮に発生した場合には、上記工数の更なる増加を招いてしまうことになる。
【０００５】
本発明は、上記した事情に鑑みてなされたもので、組み付け工数や部品費用等の削減を図ることが可能な電気的接続構造を提供することを課題とする。
【課題を解決するための手段】
【０００６】
上記課題を解決するためになされた請求項１記載の本発明の電気的接続構造は、導電性の第一電気接触部材及び第二電気接触部材を重ね合わせて電気的に接続する電気的接続構造において、前記接続にあたり、前記第一電気接触部材側から差し込まれて前記第二電気接触部材側へと貫通するピン部材と、前記第二電気接触部材側で前記ピン部材に係合するとともに、該係合により凸方向が第一凸方向から第二凸方向へと反転する皿バネ部材と、を備えることを特徴とする。
【０００７】
このような特徴を有する本発明によれば、第一電気接触部材及び第二電気接触部材を重ね合わせた後、ピン部材を第一電気接触部材側から差し込むと、第二電気接触部材側ではピン部材が皿バネ部材に係合し、この係合に伴って皿バネ部材が反転する。皿バネ部材の反転は、重ね合わせ状態にある第一電気接触部材及び第二電気接触部材を接続・維持する方向に作用する。
【０００８】
請求項２記載の本発明の電気的接続構造は、請求項１に記載の電気的接続構造において、前記第二電気接触部材にリブを形成するとともに、前記皿バネ部材には前記反転後に前記リブに対し接触するランスを形成することを特徴とする。
【０００９】
このような特徴を有する本発明によれば、皿バネ部材の凸方向が第一凸方向から第二凸方向へと反転する際の力よりも、反転後から元の凸方向へと戻る際の力の方を高くする。力を変えることは、リブ及びランスの有無により支点位置を変えて実現する。
【００１０】
請求項３記載の本発明の電気的接続構造は、請求項１又は請求項２に記載の電気的接続構造において、前記第一電気接触部材に前記ピン部材の貫通ピンに対するスリットを形成するとともに、該スリットの切り欠き開始側には前記貫通ピンに連成されるピン頭部に対し係合可能なストッパ部を形成することを特徴とする。
【００１１】
このような特徴を有する本発明によれば、スリット部の形成方向に沿って第一電気接触部材をスライドさせるような力が掛かっても、ストッパ部がピン頭部に係合する。これにより接続状態は維持される。
【００１２】
請求項４記載の本発明の電気的接続構造は、請求項１ないし請求項３いずれか記載の電気的接続構造において、前記接続を行うベース部材としての絶縁性のハウジングを備え、該ハウジングには前記第一電気接触部材及び前記第二電気接触部材の離間を規制する離間規制部を形成することを特徴とする。
【００１３】
このような特徴を有する本発明によれば、第二電気接触部材に対し第一電気接触部材を離間させるような力が掛かっても、ハウジングの離間規制部が離間を規制する。これにより接続状態は維持される。
【発明の効果】
【００１４】
請求項１に記載された本発明によれば、従来例のようなナットを使用しないことから、ナットの圧入又はインサートをする必要がなく、ボルトの斜め締めも起こることはない。また、皿バネ部材であればナットと比べて安価に入手することが可能になる。従って、本発明によれば、従来例に比べ組み付け工数や部品費用等の削減を図ることができるという効果を奏する。
【００１５】
請求項２に記載された本発明によれば、リブ及びランスを形成することにより、第一電気接触部材及び第二電気接触部材の接続状態維持に寄与することができるという効果を奏する。
【００１６】
請求項３に記載された本発明によれば、ストッパ部及びピン頭部を形成することにより、スリットを有する第一電気接触部材を用いる場合の接続状態維持に寄与することができるという効果を奏する。
【００１７】
請求項４に記載された本発明によれば、離間規制部を形成することにより、第一電気接触部材及び第二電気接触部材の離間を規制して接続状態維持に寄与することができるという効果を奏する。
【図面の簡単な説明】
【００１８】
【図１】本発明の電気的接続構造を示す図であり、（ａ）は分解斜視図、（ｂ）は斜視図である（実施例１）。
【図２】接続直前の状態を示す断面図である。
【図３】接続後の状態を示す断面図である。
【図４】本発明の電気的接続構造を示す図であり、接続直前の状態を示す断面図である（実施例２）。
【図５】接続後の状態を示す断面図である。
【図６】本発明の電気的接続構造を示す図であり、（ａ）は分解斜視図、（ｂ）は斜視図である（実施例３）。
【発明を実施するための形態】
【００１９】
導電性の第一電気接触部材及び第二電気接触部材を重ね合わせて電気的に接続する際に、ピン部材と皿バネ部材とを備える。皿バネ部材は、ピン部材の係合により凸方向が反転する。
【実施例１】
【００２０】
以下、図面を参照しながら実施例１を説明する。図１は本発明の電気的接続構造を示す図であり、図１（ａ）は分解斜視図、図１（ｂ）は斜視図である。また、図２は接続直前の状態を示す断面図、図３は接続後の状態を示す断面図である。
【００２１】
図１において、引用符号１は本発明の電気的接続構造を示している。ここでの電気的接続構造１は、例えば自動車等の車両に搭載されるヒュージブルリンクユニットに採用されるものとする（ヒュージブルリンクユニット以外の、車両における電気的接続構造等に採用しても当然によいものとする）。尚、ヒュージブルリンクユニットの全体図は省略するが、本実施例で説明する以外の部分は、基本的に既知のヒュージブルリンクユニットと同じ構成及び構造であるものとする。
【００２２】
図中の矢印Ｐを上下方向、矢印Ｑを前後方向、矢印Ｒを左右方向として以下に説明をする。
【００２３】
電気的接続構造１は、ケーブル２の端末に設けられる導電性のケーブル側端子部３（第一電気接触部材）と、ヒュージブルリンクユニットを構成する図示しないバスバーの端末に設けられる導電性のバスバー側端子部４（第二電気接触部材）と、ヒュージブルリンクユニットを構成するハウジングに設けられる絶縁性の端子接続用ハウジング５と、ケーブル側端子部３及びバスバー側端子部４の電気的な接続に用いられるピン部材６と、同じく電気的な接続に用いられる皿バネ部材７とを備えて構成されている。
【００２４】
ケーブル側端子部３は、ケーブル２の導体を圧着する導体圧着部８と、この導体圧着部８に連成される電気接触部９とを有する端子金具であって、金属板をプレス加工することにより例えば図示形状に形成されている。電気接触部９には、スリット１０が真っ直ぐに切り欠き形成されている。このスリット１０の切り欠き開始側で左右両側には、ストッパ部１１がそれぞれ形成されている。一対のストッパ部１１は、電気接触部９の端部を上方へ折り曲げるようにして形成されている。一対のストッパ部１１は、後述するが、「滑り止め」として機能するように形成されている。尚、スリット１０の替わりに円形の貫通孔を形成してもよいものとする。この場合、ストッパ部１１の形成は不要であるものとする。
【００２５】
バスバー側端子部４は、平板状であって、ケーブル側端子部３の形状に合わせて形成されている。図示状態におけるバスバー側端子部４の中央位置には、円形の貫通孔１２が形成されている。貫通孔１２は、ケーブル側端子部３におけるスリット１０の幅に合わせて、また、切り欠き終了側の位置に合わせて形成されている。バスバー側端子部４は、図示形状の後端側に上記バスバーの本体が存在するようになっている。バスバーの本体側は、適宜手段で図示しない上記ハウジングに固定されている。
【００２６】
端子接続用ハウジング５は、電気的な接続を行うベース部材としての樹脂部分であって、上記ハウジングに連続するように形成されている。端子接続用ハウジング５は、この上方と前後が開口する断面略コ字状の形状に形成されている。具体的には、下壁１３と、この下壁１３の左右両側から立ち上がる側壁１４とを有して断面略コ字状に形成されている。
【００２７】
図２において、端子接続用ハウジング５の内側には、一対のリブ１５と、一対の段部１６とが形成されている。また、上記内側には、皿バネ部材７に対する収容・反転空間１７が形成されている。リブ１５は、側壁１４の内面で且つ上方に配置形成されている。また、前後方向に真っ直ぐ延びるように突出形成されている。リブ１５の上面１８は、バスバー側端子部４の座面として形成されている。また、下面１９は、皿バネ部材７の座面（図３参照）として形成されている。段部１６は、側壁１４の内面で且つ下壁１３に連続するように配置形成されている。段部１６は、リブ１５から所定の間隔をあけて配置形成されている。段部１６の上面２０は、皿バネ部材７の座面として形成されている。段部１６は、皿バネ部材７を収容する範囲に合わせて配置形成されている。収容・反転空間１７は、ピン部材６の差し込みにも対応可能な空間となるように形成されている。
【００２８】
ピン部材６は、特に限定するものでないが金属製の部品であって、略ボルト状の形状に形成されている。ピン部材６は、貫通ピン２１と、この貫通ピン２１に連成されるピン頭部２２とを有している。貫通ピン２１は、所定長さの円柱形状に形成されている。貫通ピン２１は、皿バネ部材７に係合する部分として形成されている。ピン頭部２２は、平面視六角形状に形成されている。尚、ボルトとの違いは、ネジ山の有無であるが、本発明はボルトを適用外とするものでないものとする。
【００２９】
皿バネ部材７は、特に限定するものでないが金属製の部品であって、皿バネとして機能するように形成されている。皿バネ部材７は、平面視円形状に形成されており、中央にはピン部材６の貫通ピン２１に対する係合孔２３が貫通形成されている。皿バネ部材７は、係合孔２３と外縁部２４との間が反転部２５として形成されている。
【００３０】
皿バネ部材７は、貫通ピン２１の係合前において、この中央が上方へ凸となる状態で使用されるようになっている。また、皿バネ部材７は、貫通ピン２１の係合によって、この中央が下方へ凸となる、反転部２５の反転状態で使用されるようになっている。尚、上方への凸は特許請求の範囲に記載された第一凸方向に、下方への凸は特許請求の範囲に記載された第二凸方向に相当するものとする。皿バネ部材７は、反転部２５が図３に示す如くの反転状態にある時、係合孔２３のエッジが貫通ピン２１に引っ掛かるようになっている。
【００３１】
上記構成及び構造において、ケーブル側端子部３及びバスバー側端子部４の電気的な接続は、先ず図２に示す如くケーブル側端子部３が上、バスバー側端子部４が下となるようにこれらを重ね合わせる。重ね合わせた状態においては、バスバー側端子部４が端子接続用ハウジング５におけるリブ１５の上面１８に対し座るように載置される。皿バネ部材７は、予め端子接続用ハウジング５の収容・反転空間１７に収容され、この時の収容状態は、外縁部２４が段部１６の上面２０に座るように収容される。皿バネ部材７は、この中央が上方へ凸（矢印Ｐ参照）となる状態で収容されるとともに、係合孔２３がケーブル側端子部３のスリット１０及びバスバー側端子部４の貫通孔１２に対向する状態で収容される。
【００３２】
次にピン部材６をケーブル側端子部３側から差し込むと（矢印Ｓ参照）、貫通ピン２１がスリット１０及び貫通孔１２を通過する。バスバー側端子部４側では、貫通ピン２１が皿バネ部材７の係合孔２３に挿通されつつ係合する。皿バネ部材７は、貫通ピン２１及び係合孔２３の係合に伴い図３に示す如く反転部２５が反転するとともに、外縁部２４がリブ１５の下面１９に対し座る方向に移動する。皿バネ部材７における反転部２５の反転は、重ね合わせ状態にあるケーブル側端子部３及びバスバー側端子部４の接続を維持する方向に作用する。
【００３３】
以上、図１ないし図３を参照しながら説明してきたように、ケーブル側端子部３及びバスバー側端子部４の電気的な接続は、ピン部材６及び皿バネ部材７を備えるとともに、ピン部材６をケーブル側端子部３側から差し込み、バスバー側端子部４側で皿バネ部材７を反転させることにより完了する。従って、従来例のようなナットを使用しないことから、ナットの圧入又はインサートをする必要がなく、ボルトの斜め締めも起こることはない。また、皿バネ部材７であればナットと比べて安価に入手することが可能になる。従って、本発明によれば、従来例に比べて組み付け工数や部品費用等の削減を図ることができるという効果を奏する。
【００３４】
本発明によれば、スリット１０の形成方向に沿ってケーブル側端子部３をスライドさせるような力が掛かっても、一対のストッパ部１１がピン頭部２２に係合して接続状態が維持される。従って、ストッパ部１１及びピン頭部２２を形成することにより、スリット１０を有するケーブル側端子部３であっても接続状態の維持に寄与することができるという効果を奏する。
【実施例２】
【００３５】
以下、図面を参照しながら実施例２を説明する。図４は本発明の電気的接続構造を示す図であり、接続直前の状態を示す断面図である。また、図５は接続後の状態を示す断面図である。尚、上記実施例１と同一の構成部材には同一の符号を付して詳細な説明を省略する。
【００３６】
図４及び図５において、電気的接続構造１′は、ケーブル２の端末に設けられる導電性のケーブル側端子部３（第一電気接触部材）と、ヒュージブルリンクユニットを構成する図示しないバスバーの端末に設けられる導電性のバスバー側端子部４′（第二電気接触部材）と、ヒュージブルリンクユニットを構成するハウジングに設けられる絶縁性の端子接続用ハウジング５と、ケーブル側端子部３及びバスバー側端子部４′の電気的な接続に用いられるピン部材６と、同じく電気的な接続に用いられる皿バネ部材７′とを備えて構成されている。以下、実施例１との相違点のみを説明する。
【００３７】
バスバー側端子部４′は、下方へ突出する一対のリブ３１を有している。一対のリブ３１は、例えば切り起こしにより形成されており、貫通孔１２を挟む位置に配置されている。
【００３８】
皿バネ部材７′は、若干傾きのある状態で上方へ突出する一対のランス３２を有している。一対のランス３２は、例えば切り起こしにより形成されており、反転部２５における外縁部２４側に配置されている。一対のランス３２は、一対のリブ３１よりも外側に位置するとともに、若干長く形成されている。
【００３９】
上記構成及び構造において、ケーブル側端子部３及びバスバー側端子部４′の電気的な接続は、先ず図４に示す如くケーブル側端子部３が上、バスバー側端子部４′が下となるようにこれらを重ね合わせる。重ね合わせた状態においては、バスバー側端子部４′が端子接続用ハウジング５におけるリブ１５の上面１８に対し座るように載置される。実施例２で特徴となる一対のリブ３１は、下方へ突出する。皿バネ部材７′は、予め端子接続用ハウジング５の収容・反転空間１７に収容され、この時の収容状態は、外縁部２４が段部１６の上面２０に座るように収容される。皿バネ部材７′は、この中央が上方へ凸（矢印Ｐ参照）となる状態で収容されるとともに、係合孔２３がケーブル側端子部３のスリット１０及びバスバー側端子部４′の貫通孔１２に対向する状態で収容される。また、皿バネ部材７′は、実施例２で特徴となる一対のランス３２が上方へ突出する状態で収容される。
【００４０】
次にピン部材６をケーブル側端子部３側から差し込むと（矢印Ｓ参照）、貫通ピン２１がスリット１０及び貫通孔１２を通過する。バスバー側端子部４′側では、貫通ピン２１が皿バネ部材７′の係合孔２３に挿通されつつ係合する。皿バネ部材７′は、貫通ピン２１及び係合孔２３の係合に伴い図５に示す如く反転部２５が反転するとともに、外縁部２４がリブ１５の下面１９に対し座る方向に移動する。皿バネ部材７′における反転部２５の反転は、重ね合わせ状態にあるケーブル側端子部３及びバスバー側端子部４′の接続を維持する方向に作用する。
【００４１】
実施例２では、反転部２５が反転すると、一対のランス３２の先端が一対のリブ３１の基端に当接する。これは、皿バネ部材７′の凸方向が第一凸方向（上方向）から第二凸方向（下方向）へと反転する際の力よりも、反転後から元の凸方向へと戻る際の力の方が高くなるようにすることを目的としている。
【００４２】
皿バネ部材７′の凸方向が第一凸方向（上方向）から第二凸方向（下方向）へと反転する際、支点は、皿バネ部材７′の外縁部２４と段部１６の上面２０との接触位置に形成される。一方、反転後から元の凸方向へと戻る際、支点は、一対のランス３２の基端位置に形成される。
【００４３】
上記のように力関係を明確に変えることにより、仮に何らかの要因でピン部材６に意図しない引き抜きの力が掛かったとしても、ケーブル側端子部３及びバスバー側端子部４′の電気的な接続は十分に維持される。
【００４４】
以上、図４及び図５を参照しながら説明してきたように、本発明によれば、上記実施例１の効果に加えケーブル側端子部３及びバスバー側端子部４′の接続状態維持に寄与することができるという効果を奏する。
【実施例３】
【００４５】
以下、図面を参照しながら実施例３を説明する。図６は本発明の電気的接続構造を示す図であり、（ａ）は分解斜視図、（ｂ）は斜視図である。尚、上記実施例１と同一の構成部材には同一の符号を付して詳細な説明を省略する。
【００４６】
図６において、電気的接続構造１″は、ケーブル２の端末に設けられる導電性のケーブル側端子部３（第一電気接触部材）と、ヒュージブルリンクユニットを構成する図示しないバスバーの端末に設けられる導電性のバスバー側端子部４（第二電気接触部材）と、ヒュージブルリンクユニットを構成するハウジングに設けられる絶縁性の端子接続用ハウジング５′と、ケーブル側端子部３及びバスバー側端子部４の電気的な接続に用いられるピン部材６と、同じく電気的な接続に用いられる皿バネ部材７とを備えて構成されている。以下、実施例１との相違点のみを説明する。
【００４７】
端子接続用ハウジング５′は、一対の側壁１４の上端、且つ前側に離間規制部３３をそれぞれ有している。一対の離間規制部３３は、ケーブル側端子部３の導体圧着部８を覆うような壁状（上壁）の形状に形成されている（配置及び形状は一例であるものとする）。
【００４８】
上記構成及び構造において、ケーブル側端子部３及びバスバー側端子部４の電気的な接続は、実施例１と同じであり、ここでは説明を省略するものとする。実施例３では、バスバー側端子部４に対しケーブル側端子部３を離間させるような力、すなわちケーブル２に矢印Ｔ方向の力が掛かっても、一対の離間規制部３３がケーブル側端子部３及びバスバー側端子部４の離間を規制する。従って、ピン部材６の意図しない抜けが規制され、結果、ケーブル側端子部３及びバスバー側端子部４の電気的な接続は十分に維持される。
【００４９】
以上、図６を参照しながら説明してきたように、本発明によれば、上記実施例１の効果に加えケーブル側端子部３及びバスバー側端子部４′の離間を規制して接続状態維持に寄与することができるという効果を奏する。
【００５０】
尚、実施例３に実施例２の特徴を付加しても当然によいものとする。
【００５１】
この他、本発明は本発明の主旨を変えない範囲で種々変更実施可能なことは勿論である。
【符号の説明】
【００５２】
１、１′、１″…電気的接続構造
２…ケーブル
３…ケーブル側端子部（第一電気接触部材）
４、４′…バスバー側端子部（第二電気接触部材）
５、５′…端子接続用ハウジング（ハウジング）
６…ピン部材
７、７′…皿バネ部材
８…導体圧着部
９…電気接触部
１０…スリット
１１…ストッパ部
１２…貫通孔
１３…下壁
１４…側壁
１５…リブ
１６…段部
１７…収容・反転空間
１８…上面
１９…下面
２０…上面
２１…貫通ピン
２２…ピン頭部
２３…係合孔
２４…外縁部
２５…反転部
３１…リブ
３２…ランス
３３…離間規制部
【図１】
2011249210.tif 000003
【図２】
2011249210.tif 000004
【図３】
2011249210.tif 000005
【図４】
2011249210.tif 000006
【図５】
2011249210.tif 000007
【図６】
2011249210.tif 000008